(57)【要約】【課題】  不正コピーを防止し情報供給者の権利を守ることができる光ディスク、また、通常のドライブで正常に読み出すことは可能であるが、トラックの一部を読み飛ばさせて原本と異なるコピー品とさせることにより、ディスクに記録されている情報を保護し、プログラムの動作を制限することができる光ディスクの提供を目的とする。【解決手段】  螺旋状に配列した情報ピット列で形成されたトラックを有する光ディスクにおいて、該情報ピット列は、内周から単調に増加するアドレスを持つと共に、半径方向にシフトした不連続部分を少なくとも１箇所有し、該第２の情報ピット列の最初の１トラック（トラック１周分）と次の１トラックには同一アドレスを有し異なる情報が記録された領域が設けられ、かつ該領域を含むトラックピッチが一定でない部分を有することを特徴とする光ディスク。【選択図】        図４
2005100500.tif 000002
【特許請求の範囲】
【請求項１】
螺旋状に配列した情報ピット列で形成されたトラックを有する光ディスクにおいて、該情報ピット列は、内周から単調に増加するアドレスを持つと共に、半径方向にシフトした不連続部分を少なくとも１箇所有し、該第２の情報ピット列の最初の１トラック（トラック１周分）と次の１トラックには同一アドレスを有し異なる情報が記録された領域が設けられ、かつ該領域を含むトラックピッチが一定でない部分を有することを特徴とする光ディスク。
【請求項２】
螺旋状に配列した情報ピット列で形成されたトラックを有する光ディスクにおいて、内周から単調に増加するアドレスを持つ第１の情報ピット列と、該第１の情報ピット列の外周側に配置され、該第１の情報ピット列と接しない（不連続な）第２の情報ピット列を有し、該不連続部分における内周側の情報ピット列（第１トラック）の最後と外周側の情報ピット列（第２トラック）の最初に、１トラック（トラック１周分）以下の長さに渡って、同一アドレスを有し異なる情報が記録された領域が設けられ、該領域を含むトラックピッチが一定でない部分を有することを特徴とする光ディスク。
【請求項３】
ピットのトラック方向最大幅をＷｐ（μｍ）、最近接トラック間距離をＴＰ（μｍ）、螺旋状の仮想的な等トラックピッチ中心線からのトラック方向最大変位量をΔＰｍａｘ（μｍ）としたときに、
０≦ＴＰ−ΔＰｍａｘ−Ｗｐ≦０．９
であることを特徴とする請求項１記載の光ディスク。
【請求項４】
前記情報ピット列の不連続部分の前後に２０ブロック以下の長さに渡って同一アドレス領域を有し、該同一アドレス領域がディスク中心からみて同一角度範囲に隣接して配置されていることを特徴とする請求項１〜３の何れかに記載の光ディスク。
【請求項５】
前記情報ピット列が不連続であり、トラックピッチが一定でない部分における最近接トラック間距離ＴＰがその他の正常トラック間距離よりも大きいことを特徴とする請求項１〜４の何れかに記載の光ディスク。
【請求項６】
レーザー光の照射により記録可能な領域を有することを特徴とする請求項１〜５の何れかに記載の光ディスク。
【発明の詳細な説明】
【技術分野】
【０００１】
本発明は、予め記録された情報を持つ光ディスクに関するものである。
【背景技術】
【０００２】
昨今における情報量の増大とパーソナルコンピュータの急速な普及に伴い、高密度かつ高速で大量のデータの記録、再生が可能なディスクドライブが商品化され普及してきている。このため情報の提供及び配布には、レーザービームの照射により再生を行う上記ディスクドライブ装置に対応する光記録媒体であるＣＤ−ＲＯＭやＤＶＤ−ＲＯＭといった再生専用ディスクが汎用されている。コンパクトディスクの分野では、近年、読み取り専用領域と書き込み可能領域を持つＣＤ（ハイブリッドディスク）が開発されており、同ディスクを上記ＣＤ−ＲＯＭの代替として、同ディスクの読み取り専用領域に予めコンテンツを書き込んだ状態で配布（販売）することが提案されている。
このディスクでは、例えば当該ディスク中に含まれているコンピューターソフトを利用して当該ディスク上に必要な情報を追記することで当該ディスクの使い勝手を向上することができ、また、例えば前記コンピューターソフトの古いコンテンツを新しいバージョンにアップグレードさせることで、新たに余分なＲＯＭディスクを所持・使用する必要が解消されるなどの利点を持つ。
【０００３】
しかしながら、上記のような予め記録された情報を持つ再生専用ディスク及びハイブリッドディスクは、光ディスク内がＲＡＭ領域のみで構成されている記録用ディスクを用いることで容易にコピーすることができる。その結果、情報が不正コピーされるため、予め情報が存在する元々の光ディスクの原本性が損なわれるのみならず、光ディスク中に個人情報や機密事項が含まれる場合の情報管理の安全性に問題が生じる。
不正コピーを防止する公知技術として、例えば特許文献１には、情報ピットの一部が半径方向に変位するように配置し、その部分を再生した際のトラッキングエラー信号の異常を検知し不正コピーを防止する技術が開示されている。
また、特許文献２には、ＲＯＭ、ＲＡＭが混在するディスクにおいて、ＲＯＭの一部のウォブル振幅を小さくするか又は無くした部分を設け、それを検出することによって不正コピーを防止する技術が開示されている。
また、特許文献３には、トラックの途中に無限軌道及び同心円状のトラックを挿入したり、実在しないアドレスを挿入することにより、シーケンシャルに再生できなくして、不正なコピーを防止する技術が開示されている。
しかしながら、特許文献１〜２の技術では、特異部分を検知し、ＣＰＵ等に一般的インターフェースを介して送信できる特殊な再生装置が必要であり、一般的ＲＯＭドライブで検出することは不可能である。また特許文献３では、トラップエリアにより通常のドライブで正常に読み出すことは不可能である。
【０００４】
【特許文献１】特開平７−２７２２８２号公報
【特許文献２】特開２００２−３５８６５４号公報
【特許文献３】特開平１１−３０６６７８号公報
【発明の開示】
【発明が解決しようとする課題】
【０００５】
本発明は、著作権に基づくプログラム、データ等の情報のコピーを防止し、且つ、コピーされた情報の再生を制御する機能を有することにより、不正コピーを防止し情報供給者の権利を守ることができる光ディスクの提供を目的とする。
また、通常のドライブで正常に読み出すことは可能であるが、トラックの一部を読み飛ばさせて原本と異なるコピー品とさせることにより、ディスクに記録されている情報を保護し、プログラムの動作を制限することができる光ディスクの提供を目的とする。
【課題を解決するための手段】
【０００６】
上記課題は、次の１）〜６）の発明（以下、本発明１〜６という）によって解決される。
１）  螺旋状に配列した情報ピット列で形成されたトラックを有する光ディスクにおいて、該情報ピット列は、内周から単調に増加するアドレスを持つと共に、半径方向にシフトした不連続部分を少なくとも１箇所有し、該第２の情報ピット列の最初の１トラック（トラック１周分）と次の１トラックには同一アドレスを有し異なる情報が記録された領域が設けられ、かつ該領域を含むトラックピッチが一定でない部分を有することを特徴とする光ディスク。
２）  螺旋状に配列した情報ピット列で形成されたトラックを有する光ディスクにおいて、内周から単調に増加するアドレスを持つ第１の情報ピット列と、該第１の情報ピット列の外周側に配置され、該第１の情報ピット列と接しない（不連続な）第２の情報ピット列を有し、該不連続部分における内周側の情報ピット列（第１トラック）の最後と外周側の情報ピット列（第２トラック）の最初に、１トラック（トラック１周分）以下の長さに渡って、同一アドレスを有し異なる情報が記録された領域が設けられ、該領域を含むトラックピッチが一定でない部分を有することを特徴とする光ディスク。
３）  ピットのトラック方向最大幅をＷｐ（μｍ）、最近接トラック間距離をＴＰ（μｍ）、螺旋状の仮想的な等トラックピッチ中心線からのトラック方向最大変位量をΔＰｍａｘ（μｍ）としたときに、
０≦ＴＰ−ΔＰｍａｘ−Ｗｐ≦０．９
であることを特徴とする１）記載の光ディスク。
４）  前記情報ピット列の不連続部分の前後に２０ブロック以下の長さに渡って同一アドレス領域を有し、該同一アドレス領域がディスク中心からみて同一角度範囲に隣接して配置されていることを特徴とする１）〜３）の何れかに記載の光ディスク。
５）  前記情報ピット列が不連続であり、トラックピッチが一定でない部分における最近接トラック間距離ＴＰがその他の正常トラック間距離よりも大きいことを特徴とする１）〜４）の何れかに記載の光ディスク。
６）  レーザー光の照射により記録可能な領域を有することを特徴とする１）〜５）の何れかに記載の光ディスク。
【０００７】
以下、上記本発明について詳しく説明する。
本発明１は同一アドレスで異なる情報を記録してある領域が第２トラックの１周目と２周目にあるのに対し、本発明２は同一アドレスで異なる情報を記録してある領域が第１トラックの最後と第２トラックの最初にある。本発明１では、アドレスが重複する第２トラックの先頭部分を再生できないようにすることにより、本発明２では、アドレスが重複する第２の情報ピット列の先頭部分を再生できないようにすることにより、後述するように原本性を確認することができるので、不正コピーを防止できる。
また、本発明３〜４の構成とすることにより、再生が停止することなく正常に情報を読み出すことができる。
また、本発明５の構成とすることにより、不連続部分前後のクロストーク、トラッキングエラー信号が規格により規定されている値を満足するため、情報を読み出すことができる。
また、本発明６の構成とすることにより、ハイブリッド光ディスクを提供することが可能となる。
【０００８】
ＣＤ−Ｒ、ＤＶＤ＋Ｒ、ＤＶＤ−Ｒ等の光ディスクは、次のようにして作製される。即ち、円盤状のガラス板にフォトレジスト膜を形成し、これを露光装置で回転させながらレーザー光を照射してフォトレジスト膜に螺旋状の潜像を形成し、これを現像して潜像部分を溶解することによりピット、グルーブを形成し、これに導電膜を付け電鋳してスタンパを作る。このスタンパを型として透明プラスチック成形板を多量に複製し、これに色素等の記録剤をスピンコートし、反射層、保護層を形成して光ディスクとする。
ＣＤ−ＲＷ、ＤＶＤ＋ＲＷ、ＤＶＤ−ＲＷ等の光ディスクの場合には、透明プラスチック成形板上に、スパッタリングにより下部保護層、相変化記録層、上部保護層、反射層を順に設けた後、光硬化性樹脂保護層を形成することにより作製される。
【０００９】
一般のＣＤ−Ｒ／ＲＷの場合、情報領域にグルーブのみが形成され、ここにＣＤライターにより情報が後で記録されるが、ＲＯＭとＲＡＭが混在したＣＤ−Ｒ／ＲＷ（以後、ハイブリッドＣＤ−Ｒ／ＲＷという）は、一部に露光装置で情報が予め記録される。このハイブリッドＣＤ−Ｒ／ＲＷの作成法を、図１、図２を参照しつつ説明する。
ガラス板上に中間層を間に挟んだ上下２層のフォトレジストを形成したのち〔（図１（ａ）〕、深いピットと浅いグルーブを露光光量で作り分け、上層フォトレジストの上面から下層フォトレジストの下面までの深さの深いピットと、上層フォトレジストの上面から下層フォトレジストの上面までの深さの浅いグルーブを持つガラス原盤を作成する〔（図１（ｂ）〜（ｃ）〕。
次いで、その上にＮｉ膜をスパッタし、更に電鋳法によりＮｉをメッキした後〔（図１（ｄ）〕、ガラス板剥離、レジスト除去を行ってスタンパを得る〔（図１（ｅ）〜図２（ｆ）〕。
このスタンパを母型にして透明基板を成形し〔（図２（ｇ）〕、その上に記録層材料を塗布し、更にその上に反射層、保護層をスパッタなどにより形成すれば、一部に情報が予め記録されたハイブリッドＣＤ−Ｒが作成できる〔（図２（ｈ）〜（ｉ）〕。
【００１０】
露光装置について図３により説明する。
アナログ変調器で光量制御信号によりレーザー光の光量を調整し、デジタル変調器でデジタル信号によりパルス光に変調し（ピットの場合）、ビームエキスパンダーで太くしたレーザー光を対物レンズで集光してガラス板上のフォトレジストに照射する。ガラス板はターンテーブル上で等線速度で回転しながら半径に反比例した速度で移動するので、図３に示したように一定ピッチで螺旋状に潜像が形成される。これを現像すれば、ピット及びグルーブを形成したスタンパを作製することができる。
【００１１】
本発明の不連続なピット列を形成するには、前記露光装置を用いて内周から露光を開始し、一定ピッチで螺旋状に第１のピット列を露光し、最後の１周以下のアドレスまで露光が行われた後、ターンテーブルの移動速度を１．５〜３倍に増加して外周に変位させ、シャッターにより露光を停止する。
その際に、露光を停止したスタンパ上の半径位置と角度に対応するステージの位置とターンテーブルの絶対角度を記憶し、第２の情報ピット列を露光する際には、第１ピット列終了位置に対応し、不連続になるように（半径方向にシフトされると共に中心からの角度ではゼロラジアン以上重複するように）第２の情報ピット列の露光を開始する。
その際にトラックピッチが一定になるよう半径に反比例した速度でターンテーブルを移動させても良いし、また露光開始半径を第２トラックの等ピッチ仮想線よりもトラックピッチ以下の幅だけ内周に設定し、開始から１周以下の範囲でターンテーブルの移動速度を早くした部分を設けることにより、ピット列相互の間隔を正常ピット列部分とほぼ同じにすることができる。
螺旋状の仮想的な等トラックピッチ中心線からのトラック方向変位量ΔＰとしたときに連続的に隣のトラック移動して再生を行わせるためにはΔＰは０．３μｍ以上が好ましく、ＣＤ規格であるＯｒａｎｇｅ  Ｂｏｏｋ  ＰａｒｔII（ＣＤ−Ｒｅｃｏｒｄａｂｌｅ）及びＯｒａｎｇｅ  Ｂｏｏｋ  ＰａｒｔIII（ＣＤ−Ｒｅｗｒｉｔａｂｌｅ）によるとトラックピッチは１．６μｍであり、また情報を再生するための最適なピットの幅は０．４〜０．７μｍであるので、０≦ＴＰ−ΔＰ−Ｗｐ≦０．９となることが好ましい。
【００１２】
１トラック重複部分を設ける場合、不連続部分を設ける位置は、最小アドレス単位の整数倍、例えばＣＤでは、１セクターは線速１．２ｍ／ｓｅｃの場合１６ｍｍであるから、１トラックが１６ｍｍの整数倍となる半径及びアドレス部分に設けることにより、重複アドレス部分を読み飛ばし、挿入部分のデータも正しく読むことができる。
例えば、半径２５．４７ｍｍに１０ブロックの長さの重複アドレス領域を設けることによりトラック１周分の長さになるため、１周分のデータを再生されないようにすることが可能である。
第１トラックの最後と第２トラックの最初に配置される同一アドレス領域の長さは、１セクター（１ブロック）以上であれば、第１トラック及び第２トラックに記録された情報の再生と第１トラックの最終ブロックを読み飛ばしての再生が可能であり、２０ブロック以下（即ち、半径約５１ｍｍ以下のトラック１周）であることが好ましい。半径５１ｍｍ以上では、ハイブリッドＣＤ−Ｒ／ＲＷの深いピットを作製することが困難になる。
光ディスクドライブは、再生中にトラッキングが外れた場合、ディスクを回転させながら同一半径付近で次のアドレスが記録されたデータピットを探すため、第２トラックの開始部分が第１トラックの終了部分から大きく半径方向にシフトしていなければタイムラグ無しに再生することが可能であるが、特に第１トラックの終了角度と第２トラックの次のアドレス開始角度が同一であればエラーが発生することなく、連続的にデータを再生することが可能である。
【００１３】
前記不連続ピット部分におけるトラックピッチについては、第１トラックの最終アドレス付近の数ブロックのみ仮想等トラックピッチ曲線から内周又は外周に１μｍ程度シフトさせても良いし、第１トラックの最終アドレス付近の数ブロックを外周に、第２トラック開始アドレス付近の数ブロックを内周に、共に１μｍ程度シフトさせても良い。第１トラックの最後と第２トラックの最初は回転角度方向に重なりを持っていても良いが、重なり角度はゼロラジアン以上重複することが好ましい。第１トラック終点と第２トラック始点が角度方向に重なりがなく、半径方向のトラックシフト量が小さい場合には、重複アドレス領域を読み飛ばすと確率が低くなることがあるためである。また、ピット列が仮想等トラックピッチ曲線からシフトすることなくピット列の一部を欠落させた場合（図１０参照）には、欠落ピット列の前後の最近接トラック間距離は、通常の１．６μｍより大きくなる。
また、第１トラックの最後及び第２トラックの最初の数ブロックに、不必要なダミーデータを付加することにより、その部分が再生装置によって読み取れなくても、本来必要なプログラム及び／又はデータを確実に再生することができる。
更に重複したアドレスを有する第１トラックの最後から第２トラックの最初の部分においては、再生装置により第２トラックの最初の部分が読み飛ばされるので、コピーよって作製された光ディスクのプログラムにより第２トラックの最初のアドレスに数回アクセスし再生することで原本性を確認できる。
【００１４】
即ち、原本の場合には同一アドレスを有し異なる情報が記録されている部分が２箇所あるため、２種類のデータが再生されるが、コピーされた光ディスクにおいては常に同じデータが再生される。
上記不連続部分は、１枚のディスク上に１箇所設ければよいが、２箇所以上設けるため更に別のトラックを設ける場合には上記と同様にすればよく、確実性をより高めることができる。
ＣＤ−Ｒの場合、ピッチ１．６μｍ、幅約０．３〜０．７μｍ、深さがフォトレジスト膜厚と同じ１５０〜３５０ｎｍの台形状のグルーブが情報領域に形成される。また、ハイブリッドＣＤ−Ｒの場合は、記録可能領域に台形状のグルーブが形成され、ＲＯＭ領域には、予め記録される情報の変調信号がデジタル変調器に入力され、ピットが形成される。
【００１５】
基板の材料は、成型性、光学特性、コストの点で優れたポリカーボネート樹脂が好ましい。当該光ディスクのＲＯＭ部では、使用する基板中にあるピットの幅を０．４０〜０．７５μｍ、深さを２５００〜３３００Åとすることが信号特性上好適である。また、記録領域を構成する案内溝（グルーブ）は、幅を０．２５〜０．７５μｍ、深さを１５０〜１２５０Åとすることが望ましい。
光ディスクがＣＤ−Ｒの場合には、基板の厚さは１．２ｍｍが好適である。
ＲＯＭ部のピット間には、記録領域の案内溝程度の深さを持ちピットと分離しているダミーピット或いはピットと連続している案内溝を設けてもよい。
【００１６】
記録層としては、２，２，３，３−テトラフルオルプロパノール等のフッ素アルコールと、２−メトキシエタノールやエチレングリコールジメチルエーテル等との混合溶媒に、フタロシアニン系色素やシアニン系色素などを溶解させた色素液材料が、記録感度や記録速度が極めて良好なため適している。
記録層の成膜には、これらの色素液材料をスピンコーティングにより塗布することが量産性及び膜質等に優れているため好適であり、その膜厚は、求める信号特性によって任意に決定することができるが、１００〜５００ｎｍに設定するのが好適である。
【００１７】
反射層としてはＡｕやＡｇなどの金属材料を用いることができる。
反射層は各種気相成長法によって形成できるが、量産性、膜質等に優れているスパッタリング法により成膜するのが好適である。
反射層の膜厚は記録層と同程度とするのが好適であるが、１００ｎｍ近傍とすることが望ましい。
反射層の上には、その酸化防止のためオーバーコート層を設けることが望ましい。オーバーコート層としてはスピンコートで作製した紫外線硬化樹脂が一般的であり、その厚さはエラーの増大防止や機械特性の観点から、３〜１５μｍとするのが好適である。
また、ハードコート層もオーバーコート層と同様に、スピンコートで作製した紫外線硬化樹脂が一般的であり、その厚さは、耐擦傷性や機械特性の観点から、２〜６μｍが好適である。
【００１８】
ＣＤ−ＲＷの場合、ピッチ１．６μｍ、幅約０．３〜０．７μｍ、深さがフォトレジスト膜厚と同じ２０〜１５０ｎｍの台形状のグルーブが情報領域に形成される。また、ハイブリッドＣＤ−ＲＷは、記録領域に台形状のグルーブが形成され、ＲＯＭ領域は、予め記録される情報の変調信号が、デジタル変調器に入力され、ピットが形成される。
基板材料としては、ＣＤ−Ｒの場合と同様にポリカーボネート樹脂が好ましい。
この基板上に、金属酸化物、窒化物、炭化物及びこれらの混合物からなる下部保護層を形成し、その上にＡｇ、Ｉｎ、Ｓｂ、Ｔｅ、Ｇｅ等を含む相変化型記録材料からなる記録層を形成し、その上に下部保護層と同様の材料からなる上部保護層を設け、更にＡｌ、Ａｇ、Ａｕ等の金属単体又は少量の添加物を含む合金からなる反射層と紫外線硬化樹脂からなるオーバーコート層を積層させることにより、当該光ディスクの記録可能領域に、ＲＯＭ部の既存情報に加えて新たな情報の付加が可能であるのみならず、書き換えもできるハイブリッドディスクとして活用することも可能である。
相変化記録層は、膜厚を１５〜２５ｎｍとすることにより、容易に初期化が可能で、オーバーライト時のジッタ増加を少なくすることができる。
【００１９】
下部保護層、上部保護層としては、オーバーライト時のヒートサイクルで劣化し難いＺｎＳ（８０原子％）ＳｉＯ２（２０原子％）付近の組成のものが好適に用いられ、下部保護層の膜厚は６０〜１１０ｎｍとすることにより、１５％以上の反射率にすることができる。
上部保護層の膜厚は、２０〜４０ｎｍとすることにより、モジュレーションが大きく、オーバーライト時のジッタ増加を少なくすることができる。
また、これまで説明した光ディスクに情報付加が可能な記録領域を持たせず、ＲＯＭ領域のみで構成される再生専用のＲＯＭディスクであっても、前記ハイブリッドディスクのＲＯＭ領域と同様の特徴を保持していれば、同様の機能を持つ有効な光ディスクとして活用することができることは自明である。
【発明の効果】
【００２０】
本発明によれば、著作権に基づくプログラム、データ等の情報のコピーを防止し、且つ、コピーされた情報の再生を制御する機能を有することにより、不正コピーを防止し情報供給者の権利を守ることができる光ディスクを提供できる。
また、通常のドライブで正常に読み出すことは可能であるが、トラックの一部を読み飛ばさせて原本と異なるコピー品とさせることにより、ディスクに記録されている情報を保護し、プログラムの動作を制限することができる光ディスクを提供できる。
【実施例】
【００２１】
以下、実施例及び比較例により本発明を更に具体的に説明するが、本発明はこれらの実施例により限定されるものではない。
【００２２】
実施例１
図４に示すトラック配置及び図５に示すアドレス構造を有するスタンパを作製した。ここで不連続部分を半径３０．５７ｍｍの位置に設け、
Ａのアドレス  ８：２６：３４
Ｂのアドレス  ８：２６：２４
Ｃのアドレス  ８：２６：３４
Ｄのアドレス  ８：２６：３５
とした。また、Ａは仮想等トラックピッチの螺旋から０．６μｍ外周にシフトさせた。この領域の各アドレスには、図６に示した情報を記録した。
このスタンパを用いて、厚さ１．２ｍｍのポリカーボネート基板上の半径位置２５ｍｍから３８ｍｍまでのＲＯＭ領域には、プログラムをＣＤフォーマットに従う最大ピット幅０．６μｍ、トラックピッチ１．６μｍ、ピット深さ２５０ｎｍのウォブルピットに変換させたものが配置され、半径３８ｍｍ以降の記録可能領域には、深さ１５０ｎｍの案内溝を有するディスク基板を成形した。
この基板上に、スピンコート法によりフタロシアニン系色素塗布液を塗布した膜厚約１３０ｎｍの記録層、スパッタリング法による膜厚約１１０ｎｍのＡｇ反射層を順次積層させ、更にその上に、紫外線硬化樹脂のスピンコートによるオーバーコートを形成した。
通常の再生装置によりシーケンシャルに再生した場合、不連続部分で１トラック読み飛ばされるため常に図６のａｂｃｄｅｆｇｈｉｊｋｌｍｎｏｐｑｒｓｔｕのデータが読める。従って、通常の方法でコピーを行うと、８：２６：２１から８：２６：４１のアドレスにこの情報が記録されたＣＤ−Ｒが作製される。
本実施例の光ディスクについて、ＲＯＭ部に記録したプログラムにより８：２６：２５〜８：２６：３３の情報を数回再生したところ、同一アドレスを有し異なる情報を有する部分が２箇所あるため、ｅｆｇｈｉｊｋｌｍのデータが読める場合と、ｅ′ｆ′ｇ′ｈ′ｉ′ｊ′ｋ′ｌ′ｍ′のデータが読める場合が存在することになり、原本性が確認されたとしてプログラムのその後のステップを続行することができた。
【００２３】
実施例２
図７に示すトラック配置及び図８に示すアドレス構造を有するスタンパを作製した。ここで不連続部分を半径３０．３０ｍｍの位置に設け、
Ａのアドレス  ８：２６：３０
Ｂのアドレス  ８：２６：３４
Ｃのアドレス  ８：２６：３０
Ｄのアドレス  ８：２６：３４
Ｅのアドレス  ８：２６：３５
とする。このときＢからＣの間では通常どおりステージとスピンドルを動作させ、シャッターにより７ブロックに対応する時間だけ露光ビーム照射を停止した。この領域の各アドレスには図９のような情報を記録した。
上記スタンパを用いて実施例１と同様の方法で光ディスクを作製した。
通常の再生装置によりシーケンシャルに再生した場合、不連続部分で１トラック読み飛ばされるため常にａｂｃｄｅｆｇｈｉｊｋｌｍｎｏｐのデータが読める。従って、通常の方法でコピーを行うと８：２６：２５から８：２６：４０のアドレスにこの情報が記録されたＣＤ−Ｒが作製される。
本実施例の光ディスクについて、ＲＯＭ部に記録したプログラムにより８：２６：３１〜８：２６：３３の情報を数回再生したところ、同一アドレスを有し異なる情報を有する部分が２箇所あるため、ｇｈｉのデータが読める場合と、ｇ′ｈ′ｉ′のデータが読める場合が存在することになり、原本性が確認されプログラムのその後のステップを続行することができた。
また、本実施例によると、トラックピッチが１．６μｍ以下となる部分が無いため、不連続部分周辺でも再生信号特性が良好であり、Ｃ１エラーは５０以下であった。
【図面の簡単な説明】
【００２４】
【図１】ＲＯＭとＲＡＭが混在したＣＤ−Ｒ／ＲＷの作成法を示す図。  （ａ）ガラス板上に中間層を間に挟んだ上下２層のフォトレジストを形成する工程  （ｂ）深いピットと浅いグルーブを持つガラス原盤を作成する露光工程  （ｃ）深いピットと浅いグルーブを持つガラス原盤を作成する現像工程  （ｄ）Ｎｉ膜をスパッタし、更に電鋳法によりＮｉをメッキする工程  （ｅ）ガラス板剥離工程
【図２】（ｆ）レジスト除去を行ってスタンパを得る工程  （ｇ）スタンパを母型にして透明基板を成形する工程  （ｈ）記録層形成工程  （ｉ）反射層、保護層形成工程
【図３】露光装置を示す図。
【図４】実施例１で用いたスタンパのトラック配置を示す図。
【図５】実施例１で用いたスタンパのアドレス構造を示す図。
【図６】実施例１で各アドレスに記録した情報を示す図。
【図７】実施例２で用いたスタンパのトラック配置を示す図。
【図８】実施例２で用いたスタンパのアドレス構造を示す図。
【図９】実施例２で各アドレスに記録した情報を示す図。
【図１０】ピット列が仮想等トラックピッチ曲線からシフトすることなくピット列の一部を欠落させた場合の説明図。
【符号の説明】
【００２５】
Ａ  アドレスを示す符号
Ｂ  アドレスを示す符号
Ｃ  アドレスを示す符号
Ｄ  アドレスを示す符号
Ｅ  アドレスを示す符号
【図１】
2005100500.tif 000003
【図２】
2005100500.tif 000004
【図３】
2005100500.tif 000005
【図４】
2005100500.tif 000006
【図５】
2005100500.tif 000007
【図６】
2005100500.tif 000008
【図７】
2005100500.tif 000009
【図８】
2005100500.tif 000010
【図９】
2005100500.tif 000011
【図１０】
2005100500.tif 000012